(57)【要約】【課題】水平及び垂直連結機能を具えた管継手の提供。【解決手段】垂直ラグと多方向の水平挿入棒を具え、垂直ラグの上端と底端に凹部が設けられて中心を穿孔が貫通し、垂直管が該垂直ラグの上端凹部と下端凹部に収容され、そのうちの一つの管に組み付けられた連結ボルトが中心の穿孔を貫通してもう一つの管の内部に設けられたナットに螺合されて垂直管の連結が完成し、多方向に設置された水平挿入棒の上端と下端に凹溝が形成されて基部に半環状のスリットが設けられ、水平管の取り付け端内周に設けられた嵌め片が上端と下端の凹溝に挿入されてスライド式に該スリットに嵌合された後に水平管が適度に回されることで水平管が垂直ラグに係止され、隣り合う水平挿入棒間の夾角部分に補助支持片が設けられガラス板支持に供される。【選択図】　　　　図１
0003098064.tif 000002
【実用新案登録請求の範囲】
【請求項１】
水平及び垂直連結機能を具えた管継手において、該管継手が垂直管が組み付けられる垂直ラグと、垂直ラグの側辺より多方向に突出し水平管の組み付けに供される水平挿入棒を具え、垂直管と水平管の組み合わせにより組立式棚のボーンフレームを組成し、
該垂直ラグはその上端及び底端に凹部が設けられ、その中心を穿孔が貫通し、これら凹部の内径が垂直管の外径に符合し、垂直管の端部が凹部内に挿入され、一方の垂直管に連接ボルトが設けられて垂直ラグの中心の穿孔を貫通し、並びにもう一方の垂直管の内部に設けられたナットに螺合され、これにより垂直管の連結が完成し、
多方向に設置された水平挿入棒に、外径が水平管の内径に符合する挿入部が設けられ、この挿入部の上端と底端の対応部分に外端より延伸された凹溝が設けられ、該挿入部の基部に半環状のスリットが設けられ、これら水平管の端部の内周の上端と下端にそれぞれ嵌め片が設けられ、これら嵌め片のサイズが水平挿入棒の挿入部の凹溝に嵌合するものとされて水平管の嵌め片が水平挿入棒の挿入部の凹溝に挿入されてスライド式にスリットに嵌合された後に、水平管が適度に回されてその嵌め片が挿入部の基部の半環状のスリット内に係止されてその脱出が防止され、水平管の組みつけが完成し、
これにより工具不要で簡単快速に垂直管と水平管を管継手に組み付けられ、異なる要求により組立式棚の形式と大きさを任意に変化させられ、組立式棚の活発な運用を達成することを特徴とする、水平及び垂直連結機能を具えた管継手。
【請求項２】
請求項１記載の水平及び垂直連結機能を具えた管継手において、組立式棚の各側の管で囲まれた空間内に、金属パネルが組み付けられ、該金属パネルの周辺が折り曲げられて側板が一体に形成されて該側板が管に対応する凹んだ円弧形態とされ、金属パネルが直接管の組成する空間内に嵌め込まれて係合位置決めされることを特徴とする、水平及び垂直連結機能を具えた管継手。
【請求項３】
請求項１記載の水平及び垂直連結機能を具えた管継手において、管継手の隣り合う水平挿入棒間の夾角部分にあって側方向に補助支持片が延伸され、補助支持片の端部に穿孔が設けられ、該穿孔に吸盤が組みつけられ、ガラス板の組みつけに供されることを特徴とする、水平及び垂直連結機能を具えた管継手。
【請求項４】
請求項１記載の水平及び垂直連結機能を具えた管継手において、管継手の水平挿入棒の基部に縦向きに貫通する挿入孔が設けられて、ガラス扉の角部に設けられた角保護片の凸柱の挿入に供されて、ガラス扉が開閉自在に枢接されることを特徴とする、水平及び垂直連結機能を具えた管継手。
【請求項５】
請求項１記載の水平及び垂直連結機能を具えた管継手において、組立式棚の各側の管が組成する垂直空間内にガラス板が取り付けられ、ガラス板の角部の角保護片が設けられ、並びに角保護片の外縁が管に対応する凹んだ円弧形態とされ、管による垂直形態のガラス板に対する挟持限位が形成されることを特徴とする、水平及び垂直連結機能を具えた管継手。
【考案の詳細な説明】
【０００１】
【考案の属する技術分野】
本考案は一種の水平及び垂直連結機能を具えた管継手に係り、特に垂直管の組み付けに供される垂直ラグと水平管の組み付けに供される多方向の水平挿入棒を具え、管の組立ての簡便性と安定性を増し、必要により管の形成する空間内に金属パネル或いはガラス板を組み付けることができ、組立式棚の組み立てに供される、水平及び垂直連結機能を具えた管継手に関する。
【０００２】
【従来の技術】
一般に金属パイプ製の組立式棚は、継手に垂直或いは水平の管が挿嵌式に組み合わされ、各管で囲まれてなる空間内に板体が取り付けられることで、棚が形成され、各種物品の収納或いは陳列展示に使用されて良好な実用性を達成する。
【０００３】
このような組立式棚の管と継手の挿嵌設計は、係止位置決めの構造がなく、管の管径が継手の挿入部分の寸法より小さく設けられて、管が継手の挿入部に強制的に套設され、管と継手の緊密な結合効果を達成している。このような作業は強制的に管を継手の挿入部に嵌合させる必要があり、人の手で実施できず、専用の器具を使用しなければ組立を完成できない。このため全体の製造コストが増し、且つ放送、運送及びストック体積及びコストのいずれに対しても厳重な影響を及ぼし、さらに消費者が購入して自分で組み立てることができず、使用の必要により任意に変化させることができず、その全体の実用性に極めて大きな制限があり、理想的な組立方式であるとはいえない。
【０００４】
さらに、組立式棚は管が直接継手の挿入部に圧合されることにより、組立を完成するが、管と継手の間に位置決め構造がないため、管と継手の結合の緊密度が不足する時、或いは消費者が自分で組み立てるのに便利なように単純な挿嵌設計とされる時、外力作用により管の継手からの離脱が発生しやすく、それにより全体の組立式棚が解体しその上に置かれた物品が落ちて破損することがあり、その実用性に厳重な影響が生じた。
【０００５】
このほか、このような組立式棚の構造設計に関して、管が組み合わされて形成する空間中に板体が取り付けられて棚形態が形成されるが、板体と管の間に適当な位置決め構造がなく、このため溶接或いは螺子止め方式で結合固定され、適当な支持構造がないために板体をガラス板とすることはできず、使用上極めて大きな制限があり、必要に応じて変化させることができず、改善が待たれている。
【０００６】
【考案が解決しようとする課題】
現存の組立式棚の設計が完全でなく、そのためその組立及び使用上多くの問題と欠点があることを鑑み、本考案は一種の管継手の構造を提供することを目的とし、該管継手は管と継手の組合せ上、如何なる機具、工具も不要で、手で実施でき、全体の組立作業を簡便とすることができる。
【０００７】
本考案のもう一つの目的は、管と継手を手で組み合わせられるようにし、これにより消費者が購入して自分で組み立てることができるようにし、並びに必要に応じて任意に組合せを変化させられるようにすることにある。
【０００８】
本考案のさらに一つの目的は、管継手の構造設計により、パネル組付け時に管と共同でパネルに対する適当な限位関係を形成でき、ガラス板を放置する時に適当な支持効果を提供できるようにすることにある。
【０００９】
本考案のさらに別の目的は、管継手の構造設計により、消費者が自分で組み立てられるようにして、組立式棚の出荷時の包装、運輸及びストックの体積とコストを縮減することで、産業上の利用の経済性に符合するようにすることにある。
【００１０】
本考案のさらにまた別の目的は、管継手の改良により、使用者が必要に応じてガラス扉を組み付けられるようにし、組立式棚に内部の物品に対する防塵機能を付与できるようにすることにある。
【００１１】
【課題を解決するための手段】
請求項１の考案は、水平及び垂直連結機能を具えた管継手において、該管継手が垂直管が組み付けられる垂直ラグと、垂直ラグの側辺より多方向に突出し水平管の組み付けに供される水平挿入棒を具え、垂直管と水平管の組み合わせにより組立式棚のボーンフレームを組成し、
該垂直ラグはその上端及び底端に凹部が設けられ、その中心を穿孔が貫通し、これら凹部の内径が垂直管の外径に符合し、垂直管の端部が凹部内に挿入され、一方の垂直管に連接ボルトが設けられて垂直ラグの中心の穿孔を貫通し、並びにもう一方の垂直管の内部に設けられたナットに螺合され、これにより垂直管の連結が完成し、
多方向に設置された水平挿入棒に、外径が水平管の内径に符合する挿入部が設けられ、この挿入部の上端と底端の対応部分に外端より延伸された凹溝が設けられ、該挿入部の基部に半環状のスリットが設けられ、これら水平管の端部の内周の上端と下端にそれぞれ嵌め片が設けられ、これら嵌め片のサイズが水平挿入棒の挿入部の凹溝に嵌合するものとされて水平管の嵌め片が水平挿入棒の挿入部の凹溝に挿入されてスライド式にスリットに嵌合された後に、水平管が適度に回されてその嵌め片が挿入部の基部の半環状のスリット内に係止されてその脱出が防止され、水平管の組みつけが完成し、
これにより工具不要で簡単快速に垂直管と水平管を管継手に組み付けられ、異なる要求により組立式棚の形式と大きさを任意に変化させられ、組立式棚の活発な運用を達成することを特徴とする、水平及び垂直連結機能を具えた管継手としている。
請求項２の考案は、請求項１記載の水平及び垂直連結機能を具えた管継手において、組立式棚の各側の管で囲まれた空間内に、金属パネルが組み付けられ、該金属パネルの周辺が折り曲げられて側板が一体に形成されて該側板が管に対応する凹んだ円弧形態とされ、金属パネルが直接管の組成する空間内に嵌め込まれて係合位置決めされることを特徴とする、水平及び垂直連結機能を具えた管継手としている。
請求項３の考案は、請求項１記載の水平及び垂直連結機能を具えた管継手において、管継手の隣り合う水平挿入棒間の夾角部分にあって側方向に補助支持片が延伸され、補助支持片の端部に穿孔が設けられ、該穿孔に吸盤が組みつけられ、ガラス板の組みつけに供されることを特徴とする、水平及び垂直連結機能を具えた管継手としている。
請求項４の考案は、請求項１記載の水平及び垂直連結機能を具えた管継手において、管継手の水平挿入棒の基部に縦向きに貫通する挿入孔が設けられて、ガラス扉の角部に設けられた角保護片の凸柱の挿入に供されて、ガラス扉が開閉自在に枢接されることを特徴とする、水平及び垂直連結機能を具えた管継手としている。
請求項５の考案は、請求項１記載の水平及び垂直連結機能を具えた管継手において、組立式棚の各側の管が組成する垂直空間内にガラス板が取り付けられ、ガラス板の角部の角保護片が設けられ、並びに角保護片の外縁が管に対応する凹んだ円弧形態とされ、管による垂直形態のガラス板に対する挟持限位が形成されることを特徴とする、水平及び垂直連結機能を具えた管継手としている。
【００１２】
【考案の実施の形態】
本考案の水平及び垂直連結機能を具えた管継手は、垂直ラグと多方向の水平挿入棒を具え、垂直ラグの上端と底端に凹部が設けられて中心を穿孔が貫通し、垂直管が該垂直ラグの上端凹部と下端凹部に収容され、そのうちの一つの管に組み付けられた連結ボルトが中心の穿孔を貫通してもう一つの管の内部に設けられたナットに螺合されて垂直管の連結が完成し、多方向に設置された水平挿入棒の上端と下端に凹溝が形成されて基部に半環状のスリットが設けられ、水平管の取り付け端内周に設けられた嵌め片が上端と下端の凹溝に挿入されてスライド式に該スリットに嵌合された後に水平管が適度に回されることで水平管が垂直ラグに係止され、隣り合う水平挿入棒間の夾角部分に補助支持片が設けられガラス板支持に供される。この管継手の利用により、組立式棚の組立において極めて実用的な価値を達成できる。
【００１３】
【実施例】
図１、２は本考案の分解斜視図であり、図３、４は本考案の構造関係表示図である。これらの図に示されるように、本考案の管継手１０は二種類の形式に分けられる。そのうち図１に示されるものは、組立式棚の側辺に組み合わされる管継手１０であり、図２に示されるものは組立式棚の中間部分に運用される管継手１０であり、これらの管継手１０は構造設計上、垂直ラグ１１と垂直ラグ１１の側辺より多方向に突出する水平挿入棒１２を具えている。
【００１４】
垂直ラグ１１はその上端及び底端より凹部１３が設けられ、その中心を穿孔１４が貫通し、これら凹部１３の内径が垂直管２１、２２の外径に符合し、垂直管２１、２２の端部が凹部１３内に挿入され、一方の垂直管２１に連接ボルト２３が設けられて垂直ラグ１１の中心の穿孔１４を貫通し、並びにもう一方の垂直管２２の内部に設けられたナット２４に螺合され、これにより垂直管２１、２２の連結が完成する。
【００１５】
多方向に設置される水平挿入棒１２に、外径が水平管３１の内径に符合する挿入部１５が設けられ、この挿入部１５の上端と底端の対応部分に外端より凹溝１６、１７が設けられ、該挿入部１５の基部に半環状のスリット１８が設けられ、これら水平管３１の端部の内周の上端と下端にそれぞれ嵌め片３２、３３が設けられ、且つこれら嵌め片３２、３３のサイズが水平挿入棒１２の挿入部１５の凹溝１６、１７に対応し係合し、水平管３１の嵌め片３２、３３が水平挿入棒１２の挿入部１５の凹溝１６、１７に挿入されてスライド式にスリット１８に嵌合された後に、水平管３１が適度に回されてその嵌め片３２、３３が挿入部１５の基部の半環状のスリット１８内に係止されてその脱出が防止され、水平管３１の組みつけが完成する。
【００１６】
このほか、これら管継手１０の隣り合う水平挿入棒１２、１２’の間の夾角部分にあって、側方向に補助支持片１９が延伸され、補助支持片１９の端部に穿孔１９１が設けられ、該穿孔１９１に吸盤４０が組みつけられ、ガラス板の組みつけの必要に対応する（後で説明する）。
【００１７】
また、管継手１０の各水平挿入棒１２の基部にそれぞれ縦方向に貫通する挿入孔１２１が設けられて、ガラス板の角部を挟持する角保護片の凸柱の挿入に供され（後で説明する）、ガラス板を可動式に開閉できる機能を提供する。
【００１８】
上述の構造の説明により分かるように、組立式棚の側辺と中間部分の組合せに運用される管継手１０の構造上の違いは、多方向に設置された水平挿入棒１２の数の違いだけであり、基本的な構造は完全に同じであり、この異なる形態の管継手１０の組合せにより順調に垂直管２１、２２と水平管３１を連結させて、組立式棚の基本骨格を形成することができ、並びに実際の必要により任意に組立式棚の形式及び大きさを変化させることができ、極めて活発な運用が可能である。
【００１９】
次に、図５、７の実施表示図及び図６、図８〜図１０の構造関係表示図に示されるように、上述の管継手１０を利用して垂直管２１、２２及び水平管３１が組み合わされてなる組立式棚は、消費者が必要に応じて活発に組合せを変化させられるほか、各側の管（垂直管２１、２２及び又は水平管３１）に囲まれてなる空間内に金属パネル５０が嵌め込まれる（図５、６）。これら金属パネル５０の周辺は折り曲げられて一体に側板５１が形成され、該側板５１は垂直管２１、２２及び水平管３１の円弧形態に符合する凹円弧形態とされ、これにより金属パネル５０が垂直管２１、２２及び又は水平管３１で囲まれた空間内に嵌め込まれる時に安定した位置決め効果が得られ、他の固定措置を施さずともよく、極めて良好な実施の便利性を具えている。また、構成された組立式棚の前側にガラス扉７０が組み付けられる。ガラス扉７０はその角部を挟持する角保護片７１に凸設された凸柱７２が管継手１０の前側の水平挿入棒１２の基部の挿入孔１２１内に挿入されることにより開閉可能に枢接される（図５、９参照）。このガラス扉７０により組立式棚に防塵機能が付与される。このほか、異なる使用要求に対応し、消費者が金属パネル５０をガラス板６０に交換できるようにするため、本発明の管継手１０の隣り合う水平挿入棒１２、１２’間の夾角部分には補助支持片１９が設けられている。この補助支持片１９の端部の穿孔１９１に別に製造された吸盤４０が組み付けられ、さらにガラス板６０がその上に置かれ、吸盤４０のガラス板６０に対する強力な吸着によりガラス板６０を位置決めすることができ、補助支持片１９のガラス板６０に対する支持との組合せにより、金属パネル５０をガラス板６０に交換できるものとされている。垂直形態のガラス板６１の組み付け時には、ガラス板の角部に角保護片６２が設けられ、該角保護片６２の外縁が垂直管２１、２２及び水平管３１に係合する凹んだ円弧形態とされ、これにより垂直管２１、２２と水平管３１が垂直形態のガラス板６１に対して挟持限位効果を形成する。こうして組成された組立式棚の前側に同様にガラス扉７０を組み付けることができ、ガラス扉７０の角部に設けられた角保護片７１に凸設された凸柱７２が管継手１０の前側の水平挿入棒１２の基部の挿入孔１２１内に挿入されることにより、ガラス扉７０が開閉自在に枢接され、これにより組立式棚に防塵機能が付与され、これは本発明の別の実施形態とされる（図７〜１０）。
【００２０】
【考案の効果】
以上の説明から分かるように、本発明は管継手の構造設計を改良し、工具を使用せずに手で速やかに垂直管と水平管の管継手との組合せを完成できるようにし、施工を簡単としただけでなく、その組合せ上、良好な結合効果を達成し、外力作用による管の管継手からの脱落と組立式棚の解体の問題を解決し、その金属パネルの凹んだ円弧状の側板の設計により面板と組立式棚の結合上、簡単の施工としっかりした位置決めを達成し、周知の構造の問題を解決する。さらに管継手に設けた補助支持片によりガラス板を金属パネルの代わりに使用できるようにして異なる使用要求に対応できるようにし、その組立上、消費者の嗜好と要求により活発に変化させられるようにすると共に、出荷時の包装、運送及びストックの体積とコストを縮減し、産業上の経済性に符合するものとし、極めて良好な実用価値を有するようにしている。
【００２１】
総合すると、本発明は組立式棚の管継手の構造設計に対して、垂直管と水平管の組み付け上のいずれも簡便に実施できるようにし、有効に周知の構造に発生した多くの問題と欠点を解決し、並びにその組立上、異なる使用要求により組合せを活発に変化させられるようにしている。本発明は、全体として、良好な産業上の利用価値と実用性を有し、新規な設計とされている。
【図面の簡単な説明】
【図１】本発明の管継手の好ましい形式の構造分解図である。
【図２】本発明の管継手のもう一つの好ましい形式の構造分解図である。
【図３】本発明の垂直管と管継手の結合構造関係表示図である。
【図４】本発明の水平管と管継手の結合構造関係表示図である。
【図５】本発明の実施例表示図である。
【図６】本発明の金属パネルと管の結合の構造関係表示図である。
【図７】本発明の別の実施例表示図である。
【図８】本発明のガラス板と補助支持片の結合の構造関係表示図である。
【図９】本発明のガラス板と管継手の組合せ構造関係表示図である。
【図１０】本発明の垂直形態のガラス板と管継手の組合せ構造関係表示図である。
【符号の説明】
１０　管継手　　　　　１１　垂直ラグ
１２、１２’　水平挿入棒
１２１　挿入孔　　　　１３　凹部
１４　穿孔　　　　　　１５　挿入部
１６、１７　凹溝　　　１８　スリット
１９　補助支持片　　　１９１　挿入孔
２１、２２　垂直管　　２３　連接ボルト
２４　ナット　　　　　３１　水平管
３２、３３　嵌め片　　４０　吸盤
５０　金属パネル　　　５１　側板
６０、６１　ガラス扉　７１　角保護片
７２　凸柱
【図１】
0003098064.tif 000003
【図２】
0003098064.tif 000004
【図３】
0003098064.tif 000005
【図４】
0003098064.tif 000006
【図５】
0003098064.tif 000007
【図６】
0003098064.tif 000008
【図７】
0003098064.tif 000009
【図８】
0003098064.tif 000010
【図９】
0003098064.tif 000011
【図１０】
0003098064.tif 000012